(57)【要約】【課題】不使用時には操作レバーが操作盤上に突出しないようにすることにより、操作盤の梱包、運搬時や、携帯時の収納スペースの省略を図り、合わせて操作盤の購入後において、操作レバーを構成するロッド部に取りつけてある握り玉の交換作業が行い易いように成した複合操作スイッチ並びにこの複合操作スイッチを用いた操作盤を提供する。【解決手段】操作盤へ取り付けられる支持盤へ、前記操作盤の上方へ突出させて回転可能かつ３６０度の方向へ揺動自在に操作レバーを取り付けたものにおいて、前記操作レバーを構成するロッド部を、上部ロッド部と下部ロッド部に分割し、前記上部ロッド部と下部ロッド部を互いに軸方向へ接続分離可能に構成すると共に、前記下部ロッド部が上部ロッド部に接続される部分に変形凸部を設け、前記上部ロッド部を挿通させた筒体の下端部に前記変形凸部と篏合する変形凹部を設けたことで解決した。【選択図】図４
2019096380.tif 000002
【特許請求の範囲】
【請求項１】
操作盤へ取り付けられる支持盤へ前記操作盤の上方へ突出させて回転可能かつ３６０度の方向へ揺動自在に操作レバーを取り付けたものにおいて、前記操作レバーを構成するロッド部を、上部ロッド部と下部ロッド部に分割し、前記上部ロッド部と下部ロッド部を互いに軸方向へ接続分離可能に構成すると共に、前記下部ロッド部が上部ロッド部に接続される部分に変形凸部を設け、前記上部ロッド部を挿通させた筒体の下端部に前記変形凸部と篏合する変形凹部を設けたことを特徴とする、複合操作スイッチ。
【請求項２】
前記変形凸部は、前記下部ロッド部の上部に設けた大径部に前記筒体の下端部を受ける受座部を残して形成されていることを特徴とする、請求項１に記載の複合操作スイッチ。
【請求項３】
前記下部ロッド部と前記上部ロッド部を軸方向へ接続分離可能に構成するにあたり、前記下部ロッド部の上端部と前記上部ロッド部の下端部のいずれか一方軸心部軸方向に雌ネジ穴を設け、前記下部ロッド部の上端部と前記上部ロッド部の下端部のいずれか他方の軸心部軸方向に雄ネジ部を設けたことを特徴とする、請求項１に記載の複合操作スイッチ。
【請求項４】
前記下部ロッド部と前記上部ロッド部を軸方向へ接続分離可能に構成するにあたり、前記下部ロッド部の上端部と前記上部ロッド部の下端部のいずれか一方の軸心部軸方向に差込孔を設け、前記下部ロッド部の上端部と前記上部ロッド部の下端部のいずれか他方の軸心部軸方向に差込部を設けたことを特徴とする、請求項１に記載の複合操作スイッチ。
【請求項５】
前記下部ロッド部と前記上部ロッド部の分割箇所は、前記下部ロッド部に設けた大径部の上部とすることを特徴とする、請求項１に記載の複合操作スイッチ。
【請求項６】
前記筒体の長さは、前記下部ロッド部の変形凸部から前記上部ロッド部に取り付けた握り玉までとすることを特徴とする、請求項１に記載の複合操作スイッチ。
【請求項７】
前記筒体は、上部から下部に至るほど径が太くなるテーパー状を呈していることを特徴とする、請求項１に記載の複合操作スイッチ。
【請求項８】
前記請求項１〜６に記載の複合操作スイッチは、中央部に支持孔とこの支持孔を囲んでその上側に設けた湾曲凹部とを有し、縁部より複数の係止部材を垂設して成る支持盤と、軸方向に分離可能に接続した下部ロッド部と上部ロッド部から成るロッド部を有し、前記下部ロッド部に取り付けた湾曲凸部材を前記湾曲凹部に嵌合させ、前記上部ロッド部に握り玉を取り付け、前記支持盤に対し揺動可能及び又は回転可能に設けた操作レバーと、この操作レバーの下部ロッド部を貫通させて先端側に係止されたスイッチ押圧部と、前記下部ロッド部を貫通させたところの前記支持盤の支持孔の周りに設けた受座部に接するバネ受部材と、このバネ受部材と前記スイッチ押圧部との間に弾設された弾性手段と、前記スイッチ押圧部の回りに配置された複数のスイッチから成るスイッチ群と、このスイッチ群を挟んで前記支持盤の係止部材に係止されたところのその中央部に設けた取付孔へ前記スイッチ押圧部を挿通させてガイドするガイド筒部を回動調節可能に設けたガイド板とで構成し、前記ガイド筒部を前記取付孔へ回動調節可能に取り付けるに当たり、前記ガイド筒部をその胴部の一端部に鍔部を有し、前記胴部の両側部に一対の係止部を有し、さらに前記胴部の中央部を貫通して平面略矩形状を呈した変形ガイド孔を有するものとし、前記取付孔をその中央部に軸心を共通にして設けたところの前記鍔部を収容する大径部と前記胴部を収容するところの小径部から成る段付き取付孔とし、前記小径部にはその内周の対向位置に軸方向を貫通するところの前記係止部を挿通させるガイド溝が設けられると共に、さらに前記小径部の縁部には、前記係止部と嵌合する各一対の第１嵌合凹部と第２嵌合凹部が所定間隔を空けて軸方向へ貫通することなく対向して設けられ、前記ガイド板には段付き取付孔から外方向に向けて互いに対向するガイド長溝が設けられ、このガイド長溝にはそれぞれ弾性片がその自由端側で前記鍔部を押えるように前記ガイド板と一体に設けられていることを特徴とする、複合操作スイッチ。
【請求項９】
前記請求項１〜７のいずれか１項に記載の複合操作スイッチを取り付けたことを特徴とする、テレビゲーム機などの各種機器の操作盤。
【発明の詳細な説明】
【技術分野】
【０００１】
本発明は、一つの操作レバーで複数のスイッチを開閉することのできる複合操作スイッチ並びにこの複合操作スイッチを用いた、例えばテレビゲーム機などの操作盤に関する。
【背景技術】
【０００２】
従来、テレビゲーム機を用いてゲームを行う場合、テレビとこのテレビを用いてゲームを行う操作盤は、別体かつ別売りとなっており、操作盤に取り付けた支持盤に設置された複数のマイクロスイッチを、支持盤上に揺動可能に立設させた操作レバーで、適宜選択してＯＮ、ＯＦＦできるように構成した複合操作スイッチ並びにこの複合操作スイッチを用いた操作盤が知られている。この操作盤の梱包、運搬時、或は操作盤を携帯して持ち運ぶ際に、梱包、或は運搬時に設置スペースを取らないように、操作盤上に突出している操作レバーを、倒したり、或は取り外したりすることができるように成した複合操作スイッチ並びにこの複合操作スイッチを取り付けた操作盤は、下記特許文献１に記載されているように公知である。
【先行技術文献】
【特許文献】
【０００３】
【特許文献１】特開２０１０−２８４３１２号公報
【０００４】
上記特許文献１に記載された複合スイッチは、操作盤から上方へ突出している操作レバーのロッド部を、支持盤の部分で上部ロッド部と下部ロッド部に軸方向へ分割し、上部ロッド部と下部ロッド部を互いに分離可能に接続するか、或はヒンジを用いて起倒可能に構成したものである。
【発明の概要】
【発明が解決しようとする課題】
【０００５】
この従来公知の複合操作スイッチは、不使用時に操作レバーを構成するロッド部の上部ロッド部と下部ロッド部を軸方向に分離したり、或は上部ロッド部を倒しておくことができるので、操作盤の不使用時の収納スペースを省略でき、或は操作盤の運搬時や携帯しての持ち運び時に嵩張らず、梱包やカバンなどへの収納が容易であるという利点があった。しかしながら、操作レバーは支持盤に対し軸中心に回転自在であるため、上部ロッド部と下部ロッド部の接続分離が簡単ではないという問題があり、ヒンジを用いた場合には、握り球を取り付けた操作レバーが横倒し状態で操作盤上に突出して残り、操作盤の収容スペースを省略するという面において、不十分である上に、しばしば乱暴に取り扱う操作レバーの強度が不足するという問題もあった。さらに使用者が操作レバーの上端に取り付けた握り玉を好みに応じて交換したりする場合に、操作レバーが回転してしまうため、握り玉の上部ロッド部への交換作業がしにくい、という問題もあった。
【０００６】
本発明の目的は、不使用時には操作レバーを構成するロッド部の操作盤上に突出する部分を簡単に脱着できて、操作盤の梱包、運搬時や、携帯時の収納スペースの省略を図り、合わせて操作盤の組立終了後、或は購入後において、操作レバーを構成するロッド部に取りつけてある握り玉の交換作業が行い易いように構成した複合操作スイッチ並びにこの複合操作スイッチを用いた操作盤を提供せんとするにある。
【課題を解決するための手段】
【０００７】
上述した目的を達成するために本発明は、操作盤へ取り付けられる支持盤へ前記操作盤の上方へ突出させて回転可能、かつ３６０度の方向へ揺動自在に操作レバーを取り付けた複合操作スイッチにおいて、前記操作レバーを構成するロッド部を、上部ロッド部と下部ロッド部に分割し、前記上部ロッド部と下部ロッド部を互いに軸方向へ接続分離可能に構成すると共に、前記下部ロッド部が上部ロッド部に接続される部分に変形凸部を設け、前記上部ロッド部を挿通させた筒体の下端部に前記変形凸部と篏合する変形凹部を設けたことを特徴とする。
【０００８】
その際に本発明は、前記変形凸部を、前記下部ロッド部の上部に設けた大径部に前記筒体の下端部を受ける受座部を残して形成させることを特徴とする。
【０００９】
本発明はさらに、前記下部ロッド部と前記上部ロッド部を軸方向へ接続分離可能に構成するにあたり、前記下部ロッド部の上端部と前記上部ロッド部の下端部のいずれか一方の軸心部軸方向に雌ネジ穴を設け、前記下部ロッド部の上端部と前記上部ロッド部の下端部のいずれか他方の軸心部軸方向に前記雌ネジ穴にネジ着される雄ネジ部を設けたことを特徴とする。
【００１０】
本発明はさらに、前記下部ロッド部と前記上部ロッド部を軸方向へ接続分離可能に構成するにあたり、前記下部ロッド部の上端部と前記上部ロッド部の下端部のいずれか一方の軸心部軸方向に差込孔を設け、前記下部ロッド部の上端部と前記上部ロッド部の下端部のいずれか他方の軸心部軸方向に差込孔に挿入される差込部を設けたことを特徴とする。
【００１１】
本発明はまた、前記下部ロッド部と前記上部ロッド部の分割箇所は、前記下部ロッド部に取り付けた湾曲凸部材の上部とすることを特徴とする。
【００１２】
本発明はさらに、前記筒体の長さを、前記下部ロッド部の変形凸部から前記上部ロッド部に取り付けた握り玉に達するまでとすることを特徴とする。
【００１３】
本発明はさらに、前記筒体が、上部から下部に至るほど径が太くなるテーパー状を呈していることを特徴とする。
【００１４】
さらに本発明は、前記した各複合操作スイッチを、中央部に支持孔とこの支持孔を囲んでその上側に設けた湾曲凹部とを有し、縁部より複数の係止部材を垂設して成る支持盤と、握り玉とこの握り玉を一端部に取り付けたロッド部を有し、このロッド部を軸方向に接続分離可能に構成した下部ロッド部と上部ロッド部で構成し、前記支持盤の前記支持孔を貫通し、前記下部ロッド部に取り付けた湾曲凸部材を前記湾曲凹部に嵌合させ前記支持盤に対し揺動可能及び又は回転可能に設けた操作レバーと、この操作レバーの下部ロッド部を貫通させて先端側に係止されたスイッチ押圧部と、前記下部ロッド部を貫通させたところの前記支持盤の支持孔の周りに設けた受座部に接するバネ受部材と、このバネ受部材と前記スイッチ押圧部との間に弾設された弾性手段と、前記スイッチ押圧部の回りに配置された複数のスイッチから成るスイッチ群と、このスイッチ群を挟んで前記支持盤の係止部材に係止されたところのその中央部に設けた取付孔へ前記スイッチ押圧部を挿通させてガイドするガイド筒部を回動調節可能に設けたガイド板とで構成し、前記ガイド筒部を前記取付孔へ回動調節可能に取り付けるに当たり、前記ガイド筒部をその胴部の一端部に鍔部を有し、前記胴部の両側部に一対の係止部を有し、さらに前記胴部の中央部を貫通して平面略矩形状を呈した変形ガイド孔を有するものとし、前記取付孔をその中央部に軸心を共通にして設けたところの前記鍔部を収容する大径部と前記胴部を収容するところの小径部から成る段付き取付孔とし、前記小径部にはその内周の対向位置に軸方向を貫通するところの前記係止部を挿通させるガイド溝が設けられると共に、さらに前記小径部の縁部には、前記係止部と嵌合する各一対の第１嵌合凹部と第２嵌合凹部が所定間隔を空けて軸方向へ貫通することなく対向して設けられ、前記ガイド板には段付き取付孔から外方向に向けて互いに対向するガイド長溝が設けられ、このガイド長溝にはそれぞれ弾性片がその自由端側で前記鍔部を押えるように前記ガイド板と一体に設けられていることを特徴とする。
【００１５】
そして本発明は、前記複合操作スイッチを用いたことを特徴とする、テレビゲーム機などの操作盤である。
【発明の効果】
【００１６】
本発明は、操作レバーを構成するロッド部を下部ロッド部と上部ロッド部に分割し、互いに軸方向へ接続分離可能に構成すると共に、下部ロッド部の上端部に変形凸部を設け、前記上部ロッド部を挿通させて筒体を設け、この筒体の下端部側に前記変形凸部に嵌合される変形凹部を設けたので、操作盤の組立完了後の操作盤の梱包、運搬時、或は操作盤を購入した使用者が当該操作盤を携帯して持ち運ぶ際に、筒体を一方の手で持ち、他方の手で上部ロッド部に取り付けた握り玉を上部ロッド部の下部ロッド部に対するネジ着を緩める方向へ回転させると、下部ロッド部はつられて回転してしまうことがないので、容易に上部ロッド部は握り玉と共に下部ロッド部から取り外せることになる。その結果、操作盤から上方へ大きく突出しているものがなくなり、当該操作盤の梱包、運搬時、或は操作盤を購入した使用者が、当該操作盤の携帯時において、嵩張らず収容スペースを省略することができるという作用効果を奏するものである。
【００１７】
また、複合操作スイッチや操作盤の組立完了後において、使用者の好みに応じて握り球を交換する際においても、一方の手で筒体を持ち、もう一方の手で握り球を上部ロッド部に対するネジ着を緩める方向へ回転させると、下部ロッド部は回転しないので、この脱着作業が容易であるという作用効果を奏するものである。
【００１８】
そして、本発明に係る複合操作スイッチを、テレビゲーム機を初めとする各種機器の操作盤に用いると、各種機器の利便性の向上を図ることができるものである。
【図面の簡単な説明】
【００１９】
【図１】本発明に係る複合操作スイッチを用いた家庭用のテレビゲーム機の操作盤の斜視図である。
【図２】本発明に係る複合操作スイッチの側面図である。
【図３】本発明に係る複合操作スイッチの支持プレートを省略した斜視図である。
【図４】図３に示した複合操作スイッチを上側から見た分解斜視図である。
【図５】図３に示した複合操作スイッチを下側から見た分解斜視図である。
【図６】本発明に係る複合操作スイッチの要部を示す縦断面図である。
【図７】本発明に係る複合操作スイッチの操作レバーの下部ロッド部を示し、（ａ）はその斜視図、（ｂ）はその平面図である。
【図８】本発明に係る複合操作スイッチの操作レバーを構成する筒体を示し、（ａ）はその斜視図、（ｂ）はその底面図、（ｃ）はその縦断面図である。
【図９】本発明に係る複合操作スイッチの底面図である。
【図１０】本発明に係る複合操作スイッチの縦断面図である。
【図１１】本発明に係る複合操作スイッチの操作レバーを搖動させてみた縦断面図である。
【図１２】本発明に係る複合操作スイッチのガイド板からガイド筒部を取ってみた状態の当該ガイド板の底面図である。
【図１３】本発明に係る複合操作スイッチのガイド板に対しガイド筒部を取り付けてみた状態の当該ガイド板の平面図である。
【図１４】図１３におけるA−A線断面図である。
【図１５】図１３におけるB−B線断面図である。
【図１６】図１３におけるC−C線断面図である。
【図１７】本発明に係る複合操作スイッチのガイド板に対しガイド筒部をさらに時計方向へ回転させてみた状態の当該ガイド板の平面図である。
【図１８】本発明に係る複合操作スイッチの操作レバーの他の実施例２を示す縦断面図である。
【図１９】本発明に係る複合操作スイッチの操作レバーのさらに他の実施例３を示す縦断面図である。
【発明を実施するための形態】
【００２０】
以下に本発明の実施例を図面に基づいて詳細に説明する。尚、操作盤については、家庭用のテレビゲーム機の操作盤を図示しているが、これは一例であって、図示したものに限定されない。それは家庭用のテレビゲーム機の操作盤以外の業務用のテレビゲーム機の操作盤、その他の各種装置の複合操作スイッチを用いる操作盤が含まれる。
【実施例１】
【００２１】
図１は本発明に係る複合操作スイッチを用いた主として家庭用のテレビゲーム機の操作盤Ａを示す。一般的にこの操作盤Ａは図示してないゲーム機本体に電気的に接続され、このゲーム機本体がテレビ受像機にさらに電気的に接続される構成となっており、操作盤Ａ上に本発明に係る複合操作スイッチＢ並びにその他の押しボタン式スイッチＣ、Ｃ・・や操作スイッチＤ・・などが搭載されている。
【００２２】
図２〜図１７は本発明に係る複合操作スイッチＢの構造を説明するためのものである。図面によれば、指示記号１ａは平面四角形状を呈した合成樹脂製の支持盤であり、平面部には雌ネジ孔２ａ、２ａ・・・が設けられている。この支持盤１ａの上面側には、図２と図６及び図１０と図１１に示したように、十分に図示されてはいないが、平面矩形状を呈した支持プレート１ｂ取り付けられ、支持盤１ａは支持プレート１ｂへ雌ネジ孔２ａ、２ａ・・介して取付ビス１ｄ、１ｄ・・で固着されている。そして、図示はしてないが、支持プレート１ｂが操作盤Ａの上面板の裏側下面側に取り付けられる構成である。本願発明においては、支持盤１ａは直に操作盤Ａへ取り付けることも可能なので、支持盤１ａを必須の構成要件としているが、この支持盤１ａを支持プレート１ｂに取り付けたものもその権利範囲に含まれる。
【００２３】
この支持プレート１ｂには中央部に挿通孔１ｃが設けられると共に、支持盤１ａ側には、挿通孔１ｃと同芯状に設けた支持孔４を囲んで湾曲凹部５が設けられている。支持盤１ａの下面側には同じく支持孔４を囲んで受座部６が設けられ、この受座部６に円形の凹部６ａが設けられると共に、この凹部６ａに挿通孔２３ａを有する金属プレート性の摩耗防止部材２３が嵌入設置されている。支持盤１ａの下面にはさらにその縁部より弾性を附与された４本の係止部材７が垂設されると共に、この各係止部材７に対向して下部に係止突起８ａを有する台部８が、８・・が設けられると共に、取付ピン９ａ、９ａ・・と取付孔９ｂ、９ｂ・・が設けられている。
【００２４】
指示記号１１で示されたものは、本発明に係る複合操作スイッチを構成する操作レバーである。この操作レバー１１はロッド部１１ａと、このロッド部１１ａの上端部に取り付けられる握り玉１１ｂから成り、ロッド部１１ａは支持盤１ａに対し回転可能かつ３６０度の方向へ揺動自在に取り付けられている。このロッド部１１ａはまた、支持盤１ａより少し上の部分で上部ロッド部１１ｃと下部ロッド部１１ｄに分割されている。上部ロッド部１１ｃの軸方向の上部と下部にはそれぞれ上部雄ネジ部１１ｅと、この上部雄ネジ部１１ｅより外径の小さな下部雄ネジ部１１ｆが設けられ、図６と図７に示したように、下部雄ネジ部１１ｆが下部ロッド部１１ｃの上端部から軸心部軸方向に設けた雌ネジ穴１１ｇにネジ着される構成である。上部雄ネジ部１１ｅには握り玉１１ｂの雌ネジ穴１１ｇがネジ着されている。また、下部ロッド部１１ｄの下端部には、ドライバーの先端を差し込む溝１１оが設けられると共に、その少し上部に後述するＥリング１５を取り付ける周溝１１ｐが設けられている。この下部ロッド部１１ｄの上部には大径部が設けられ、この大径部１１ｈの上端部に設けられた変形凸部１１ｉから軸方向へ雌ネジ穴１１ｇが設けられると共に、雌ネジ穴１１ｇへ上部ロッド部１１ｃの下部側の下部雄ネジ部１１ｆがネジ着されることによって、上部ロッド部１１ｃと下部ロッド１１ｄは、軸方向へ着脱可能に接続される構成である。さらに、上部ロッド部１１ｃは、その軸方向の外周に上部ロッド部１１ｃの外径と略同じ内径を有する挿通孔１１ｒを設けた筒体１１ｊに挿入され、この筒体１１ｊの下端部に設けた変形凹部１１ｋを下部ロッド部１１ｄの変形凸部１１ｉと嵌合させている。この筒体１１ｊをその挿通孔３ａに挿通させて、カバー円板３が支持プレート１ｂ上に載置されると共に、大径部１１ｈの上端面には、筒体１１ｊの下端部を受ける受座部１１ｎが設けられている。
【００２５】
下部ロッド部１１ｄの大径部１１ｈの下端部には、当該下部ロッド部１１ｄをその挿通孔１１ｓに挿通させて湾曲凸部材１１ｔが取り付けられており、この湾曲凸部材１１ｔを支持盤１ａに設けた湾曲凹部５に嵌合させている。この操作レバー１１の上部ロッド部１１ｃは支持盤１ａの上部から支持プレートの上部へ突出し、下部ロッド部１１ｄは支持盤１ａに設けた支持孔４と摩耗防止部材２３の挿通孔２３ａを貫通して当該支持盤１ａの下方へ突出している。
【００２６】
この操作レバー１１の摩耗防止部材２３より突出した部分の下部ロッド部１１ｄをその挿通孔１２ｂへ挿通させたバネ受部材１２が、その挿通孔１２ｂの縁部に設けたリング状の係合部１２ａを摩耗防止部材２３の挿通孔２３ａに嵌合させつつ当接し、さらにこの下部ロッド部１１ｃには、弾性手段の一例として圧縮コイルスプリング１３及び小径の当接部１４ａと大径のスイッチ押圧部１４ｂを有する筒部１４の各部材が順に挿通されると共に、バネ受部材１２を摩耗防止部材２３に当接させ、下部ロッド部１１ｄの下端部に設けた周溝１１ｐにＥリング１５を装着することによって、操作レバー１１が支持盤１ａの上側へ抜け出てくることなく揺動可能に、かつ、圧縮コイルスプリング１３の弾力により常に自立状態を保つように支持されている。
【００２７】
支持盤１ａ上の各台部８の間には、操作レバー１１の下部ロッド部１１ｃに取り付けた筒部１４の部分をその中央部に設けた挿通孔２４ｃヘ挿通させて成る回路基板２４と、この回路基板２４の挿通孔２４ｃの周りに筒部１４のスイッチ押圧部１４ｂを囲んで取り付けた４個のマイクロスイッチ１６ａと、から成るマイクロスイッチ群１６が、各押ボタン１６ｂを内側に向け、支持盤１ａに設けた取付ピン９ａ、９ａ・・を挿通孔１６ｄ、１６・・・の各一方に挿入させて設置されている。各マイクロスイッチ１６ａに設けたもう一方の挿通孔１６ｄ、１６ｄ・・は、支持盤１ａに設けた各取付孔９ｂ、９ｂ・・と連通しており、図示してない取付ビスにより、支持盤１ａと一体になるように固着されるものである。各マイクロスイッチ１６ａはまた、回路基板２４に設けた各接続孔２４ｂへ各端子１６ｃを接続溶着させており、この回路基板２４から、まとめて集合端子部２４ａが設けられている。この回路基板２４の下部にはガイド板１７が各係止孔１７ａを支持盤１ａより垂下させた係止部材７の係止鉤７ａへ係止させることによって着脱可能に取り付けられている。このガイド板１７は下面に一対ずつ設けた係止ピン１７ｂで各マイクロスイッチ１６ａを係止すると共に、各固定孔１７ｃへ台部８上に突設した係止突起８ａを嵌入させることにより、支持盤１ａとの間で回路基板２４を介して各マイクロスイッチ１６ａを挟持している。尚、スイッチはマイクロスイッチに限定されない。磁気センサーその他の回路のＯＮ、ＯＦＦを行うことのできるスイッチが含まれる。したがって、本願明細書、特許請求の範囲ではスイッチ、或はスイッチ群と称する場合がある。
【００２８】
ガイド板１７は、とくに図４と図５、及び図９乃至図１４に示したように、その中央部に軸心を共通にして設けた大径部１８ａと小径部１８ｂから成る段付き取付孔１８が設けられ、小径部１８ｂにはその対向位置に内周の軸方向を貫通するガイド溝１８ｃ、１８ｃが設けられると共に、さらにこの小径部１８ｂの縁部には、各一対の第１嵌合凹部１９ａ、１９ａと第２嵌合凹部１９ｂ、１９ｂが互いに対向しつつ所定間隔を空けて軸方向へ貫通することなく設けられている。さらに、ガイド板１７には段付き取付孔１８から外方向に向けて互いに対向するガイド長溝２０、２０が設けられ、このガイド長溝２０、２０にはそれぞれ湾曲した弾性片２１、２１がその自由端側を段付き取付孔１８に向けて一体に形成されている。
【００２９】
ガイド筒部２２は、胴部２２ａと、この胴部２２ａの一端部に設けた鍔部２２ｂと、胴部２２ａの両側部の略中央部より半径方向へ突出させて係止部２２ｃ、２２ｃが設けられており、この係止部２２ｃ、２２ｃからはさらに軸方向へ突出した摘み部２２ｄ、２２ｄが設けられている。このガイド筒部２２にはさらに胴部２２ａを軸方向に貫通して平面略矩形状を呈した変形ガイド孔２２ｅが設けられている。このガイド筒部２２は、とくに図１０と図１２に示したように、その鍔部２２ｂの部分を大径部１８ａに、その胴部２２ａの部分を小径部１８ｂに挿通させ、さらに係止部２２ｃ、２２ｃを第１嵌合凹部１９ａ、１９ａと嵌合させて取り付けられおり、この状態において鍔部２２ｂと大径部１８ａの軸方向との間には、とくに図１０と図１１及び図１４〜図１６に示したように、間隙ａが設けられている。そして、各弾性片２１、２１の自由端側は、鍔部２２ｂの部分を押し、ガイド筒部２２をマイクロスイッチ群１６の方向へ押圧させている。
【００３０】
次に、本発明に係る複合操作スイッチの作用について説明する。ガイド板１７に設けた段付き取付孔１８へガイド筒部２２を取り付ける際には、係止部２２ｃ，２２ｃの位置をガイド溝１８ｃ、１８ｃに合わせて大径部１８ａの方から胴部２２ａを挿入させ、大径部１８ａの方から押すと、ガイド筒部２２は鍔部２２ｂの当たっている弾性片２１，２１の弾力に抗して押込まれる。そして係止部２２ｃ、２２ｃがガイド溝１８ｃ、１８ｃから脱してガイド板１７の表面から突出するので、鍔部２２ｂの部分に対する押圧力を維持したままで摘み部２２ｄ、２２ｄの部分を指で押してガイド筒部２２を時計方向へ回転させて係止部２２ｃ、２２ｃと第１嵌合凹部１９ａ、１９ａを嵌合させる。このようにしてガイド筒部２２のガイド板１７に対する取り付けがなされるものである。
【００３１】
この状態で弾性片２１、２１が鍔部２２ｂを押しているので、ガイド筒部２２の係止部２２ｃ、２２ｃと第１嵌合凹部１９ａ、１９ａとの嵌合状態が安定し、ガイド板１７を支持盤１ａの係止部材７へ係止させて複合操作スイッチＢを組み立てた後、これをテレビゲーム機などの操作盤へ取り付け、操作レバー１１を強く乱暴に操作しても、ガイド筒部２２がガイド板１７より抜け出てしまったり、回転してしまったりすることがないものである。
【００３２】
操作レバー１１の搖動方向により、該操作レバー１１が例えばマイクロスイッチ１６ａの２つを同時にＯＮ、ＯＦＦできるようにする場合には、ガイド筒部２２の係止部２２ｃ、２２ｃより突出している摘み部２２ｄ、２２ｄを指で摘まんで上方へ引っ張ると、ガイド筒部２２の鍔部２２ｂと大径部１８ａの軸方向との間には、上述したように間隙ａがあることから、弾性片２１，２１の弾力に抗して軸方向へ移動する。次いで係止部２２ｃ、２２ｃと第１嵌合凹部１９ａ、１９ａとの間の嵌合状態が解離されたところで、摘み部２２ｄ、２２ｄを押して時計方向へさらにガイド筒部２２を回転させ、係止部２２ｃ、２２ｃが第２嵌合凹部１９ｂ、１９ｂの上に来た位置で手を放すと、係止部２２ｃ、２２ｃが第２嵌合凹部１９ｂ、１９ｂと嵌合し、ガイド筒部２２の変形ガイド孔２２ｅの位置が図１４に示したように変わる。そこで、図１３に示したように、操作レバー１１を倒すと変形ガイド孔２２ｅのコーナー部２２ｆ、２２ｆに操作レバー１１のスイッチ押圧部１４ｂが嵌入した際に、マイクロスイッチ群１６のマイクロスイッチ１６ａを同時に２個ＯＮ、ＯＦＦさせることが可能となるものである。勿論、この場合でも操作レバー１１を傾倒させてスイッチ押圧部１４ｂで変形ガイド孔２２ｅの各辺縁部２２ｇと当接させることにより、各マイクロスイッチ１６ａを個々にＯＮ、ＯＦＦさせることは可能である。
【００３３】
これらのことは、図１７に示した状態のときは、図示したようにマイクロスイッチ群１６にマイクロスイッチ１６ａを４個用いた場合には、４方向切り変えと８方向切り変えの両方を一つの操作レバー１１で行なうことができることを意味する。
【００３４】
ガイド筒部２２の変形ガイド孔２２ｅの位置を元に戻す場合には、ガイド板１７を支持盤１ａの係止部材７より取り外し、ガイド筒部２２の鍔部２２ｂの部分を押圧させると、ガイド筒部２２の鍔部２２ｂと大径部１８ａの軸方向との間には、上述したように間隙ａがあることから、弾性片２１，２１の弾力に抗して軸方向へ移動するので、係止部２２ｃ、２２ｃと第２嵌合凹部１９ｂ、１９ｂとの間の嵌合状態が解離されたところで、反時計方向へガイド筒部２２を回転させ係止部２２ｃ、２２ｃが第１嵌合凹部１９ａ、１９ａの上に来た位置で手を放すと、係止部２２ｃ、２２ｃが第１嵌合凹部１９ａ、１９ａと嵌合しガイド筒部２２の変形ガイド孔２２ｅの位置が元位置に戻ることになる。
【００３５】
何らかの事情で、ガイド板１７よりガイド筒部２２を取り外す場合には、ガイド板１７を支持盤１ａの係止部材７より取り外し、ガイド筒部２２の鍔部２２ｂの部分を押圧させると、ガイド筒部２２の鍔部２２ｂと大径部１８ａの軸方向との間には、上述したように間隙ａがあることから、弾性片２１、２１の弾力に抗してガイド筒部２２が軸方向へ移動するので、係止部２２ｃ、２２ｃと第１嵌合凹部１９ａ、１９ａ或は第２嵌合凹部１９ｂ、１９ｂとの間の嵌合状態が解離されたところで、反時計方向へガイド筒部２２を回転させ係止部２２ｃ、２２ｃがガイド溝１８ｃ、１８ｃの上に来た位置で手を放すと、係止部２２ｃ、２２ｃがガイド溝１８ｃ、１８ｃを通して胴部２２ａを段付き取付孔１８から抜け出るので、ガイド筒部２２をガイド板１７から取り外すことが可能となるものである。
【００３６】
次に、ガイド筒部２２の係止部２２ｃ、２２ｃが、図１３に示したように、第１嵌合凹部１９ａ、１９ａと係合している状態においては、各辺縁部２２ｇが各マイクロスイッチ１６ａの押ボタン１６ｂに対応した位置にある。そこで、操作レバー１１の握り玉１１ｂを持って傾動（搖動という場合もある。）させると、スイッチ押圧部１４ｂが変形ガイド孔２２ｅの各辺縁部２２ｇに当接することによりこの辺縁部２２ｇに対応したマイクロスイッチ１６ａのみの押ボタン１６ｂをスイッチ押圧部１４ｂで個別的にＯＮ、ＯＦＦできることになる。そして、この状態の時に各コーナー部２２ｆの方向へ操作レバー１１を倒しても、その方向には２つのマイクロスイッチ１６ａの押ボタン１６ｂを同時にＯＮ、ＯＦＦできるほど、操作レバー１１を傾倒させることができないので、複数のマイクロスイッチ１６ａのうち２つを同時に開閉させることはできず、各マイクロスイッチ１６ａを１個ずつ開閉できるのみである。
【００３７】
次に、本発明の要部である操作レバー１１の機能と動作について説明する。本発明に係る操作レバー１１は、互いに下部雄ネジ部１１ｆと雌ネジ孔１１ｇで軸方向に強固に接続された上部ロッド部１１ｃと下部ロット部１１ｄから成る１本のロッド部１１ａを有する操作レバーとなることから、上述したように、従来公知の操作レバーと同じ作用効果を奏することができる。その上で、上部ロッド部１１ｃを挿通させた筒体１１ｊに設けた変形凹部１１ｋを下部ロッド部１１ｄの上部側に設けた大径部１１ｈに設けた変形凸部１１ｉと嵌係合させているので、上部ロッド部１１ｃを下部ロッド部１１ｄから取り外す場合に、上部ロッド部１１ｃを挿通させた筒体１１ｊを一方の手で握り、もう一方の手で握り玉１１ｂを回転させると、下部ロッド部１１ｄは、その上部において変形凸部１１ｉが筒体１１ｊの変形凹部１１ｋと嵌合状態にあることから、上部ロッド部１１ｃだけを回転させることができるので、この上部ロッド部１１ｃと下部ロッド部１１ｄのネジ着状態が解かれ、筒体１１ｊと共に操作盤Ａより取り外され、当該操作盤Ａ上には上部ロッド部１１ｃが筒体１１ｊと共になくなることから、操作盤Ａの梱包、運搬時、或は携帯して持ち運ぶ際に、嵩張ることがなくなるものである。取り外した上部ロッド部１１ｃに筒体１１ｊを装着した状態で、その下部雄ネジ部１１ｆを下部ロッド部１１ｄの雌ネジ孔１１ｇに軸方向から当てがい、筒体１１ｊの変形凹部１１ｋを下部ロッド部１１ｄの変形凸部１１ｉと嵌合させた上で、一方の手で押さえ、上部ロッド部１１ｃを締め付け方向へ回転させると、下部雄ネジ部１１ｆが下部ロッド部１１ｄの雌ネジ孔１１ｇにネジ着されることから、簡単に装着が可能となるものである。
【００３８】
また、握り玉１１ｂの交換時においては、筒体１１ｊを一方の手で持って握り玉１１ｂを取り外し方向へ回転させると、下部ロッド部１１ｄはその回転を筒体１１ｊによって阻止されているので、握り玉１１ｂ交換を容易に行うことができるものである。以上の上部ロッド部１１ｄの着脱時において、握り球１１ｂを持って回転させると、握り玉１１ｂの方が先にゆるんでしまうことを防止するために、上部ロッド部１１ｃの両端部に設けた上部雄ネジ部１１ｅと下部雄ネジ部１１ｆの外径を変えてあり、とくに図６に示したように、上部雄ネジ部１１ｅの外形を下部雄ネジ部１１ｆの外径よりも大きく構成してある。なお、場合によっては、握り玉１１ｂの雌ネジ孔１１ｍに対する上部雄ネジ部１１ｅのネジ着部分を接着剤などで固着してしまっても良い。
【００３９】
また、操作レバー１１の搖動操作時に支持盤１ａの受座部６の凹部６ａに圧接しているバネ受部材１２は、受座部６との間に摩耗防止部材２３が設けられていることから、受座部６の部分が摩耗したり傷ついてしまったりすることがないので、永年使用の後においても、マイクロスイッチ１６ａの操作が不正確になったり、誤作動してしまうことを防止できるものである。そして、摩耗防止部材２３は受座部６に設けた凹部６ａに嵌入しているので、操作レバー１１が搖動する際に、搖動する方向へ摺動することはないので、異音の発生を防止できる。尤もこのことは、摩耗防止部材２３が操作レバー１１と共に摺動するように構成することを妨げるものではない。このように実施しても、受座部６の摩耗が、摩耗防止部材２３を設けないものよりも防止されるものである。
【００４０】
さらに、上述したように、バネ受部材１２の上部に、とくに図４に示したように、摩耗防止部材２３の挿通孔２３ａに嵌合するリング状の係合部１２ａを設けると、図４と図１１に示したように、操作レバー１１の搖動時に係合部１２ａの一部が挿通孔２３ａと係合した状態で搖動することになることから、操作レバー１１の操作がより安定したものになることが期待できるものである。しかしながら、このように構成しなくとも、摩耗防止部材２３による支持盤１ａの受座部６の摩耗などを防止できるものである。
【００４１】
尚、図示してないが本発明は、マイクロスイッチ群を複数段（通常は２段であるが）重ね合わせて配置した場合にもそのまま実施できるものであり、図示のような一段のマイクロスイッチ群のものに限定されない。
【００４２】
本発明は上述した従来の公知構成の回路基板を有しない複合操作スイッチにもそのまま応用できるものであり、本発明に係る先の実施例の構成に限定されない。また、図示はしていないが、マイクロスイッチ群が複数段設けられる場合には、各段ごとにマイクロスイッチを搭載させた集合端子付きの回路基板が設けられるものである。
【実施例２】
【００４３】
図１８は、本発明に係る操作レバーの他の実施例を示す。図面によれば、操作レバー２５のロッド部２５ａを下部ロッド部２５ｂと上部ロッド部２５ｃに分割する点は実施例１と同じであるが、この実施例２のものは、下部ロッド部２５ｂの上端部に設けた大径部２５ｄの軸心部軸方向に雄ネジ部２５ｆが立設されており、上部ロッド部２５ｃの下端部側の軸心部軸方向にこの雄ネジ部２５ｆとネジ着される雌ネジ穴２５ｅが設けられる点で、実施例１のものと異なる。そして、雄ネジ部２５ｆの基部の大径部２５ｄに変形凸部２５ｇが設けられると共に、筒部２５ｈの下部にこの変形凸部２５ｇと嵌合する変形凹部２５ｉが設けられている。その他の構成は、実施例１と同じであるので、その説明を省略する。
【００４４】
このように実施すると、上部ロッド部２５ｃを下部ロッド部２５ｂより分離させた際に、下部ロッド部に２５ｂの雄ネジ部２５ｆが操作盤Ａ上に突出するが、上部ロッド部２５ｃ全体が突出するよりは、操作盤Ａの収容スペースを省略することができる。
【実施例３】
【００４５】
図１９は、本発明に係る複合操作スイッチの操作レバーの他の実施例を示す。図面によれば、操作レバー３０のロッド部３０ａを下部ロッド部３０ｂと上部ロッド部３０ｃに分割する点は実施例１と同じであるが、この実施例３のものは、下部ロッド部３０ｂの上端部に設けた大径部３０ｄの軸心部軸方向に差込孔３０ｅが設けられており、上部ロッド部３０ｃの下端部側の軸心部軸方向にこの差込孔３０ｅへ挿入される差込部３０ｆが設けられると共に、大径部の軸方向と直交する方向に差込部３０ｆを貫通して固定ネジ３１がネジ着されている。この固定ネジ３１は、単なるピン状の固定ピンとしても良い。さらに、筒体３２の軸方向の長さは、これを上方へ持ち上げた際に固定ネジ３１が露出する程度に短くなっている。その他の構成は、実施例１と同じであるので、その説明を省略する。
【００４６】
このように実施した場合には、上部ロッド部３０ｃを取り外す際に、筒体３２を持ち上げて固定ネジ３１を露出させ、この固定ネジ３１を図示してないドライバーを用いて取り外すことで、上部ロッド部３０ｃを上方へ持ち上げることにより、当該上部ロッド部３０ｃを下部ロッド部３０ｂ乃至図示してない操作盤上から取り外すことが可能となるものである。この場合に、差込孔３０ｅと差込部３０ｆを上述したのと逆にすることが可能であり、その際には上部ロッド部３０ｃの下部半径方向から固定ネジか固定ピンを取り付けるものである。
【産業上の利用可能性】
【００４７】
本発明は以上のように構成したので、従来公知のものに比べて上部ロッド部の脱着作業、並びに上部ロッド部に取り付けた握り玉の交換作業が行い易い複合操作スイッチ、並びにこの複合操作スイッチを用いたテレビゲーム機などの各種機器の操作盤として好適に用いられるものである。
【符号の説明】
【００４８】
Ａ  操作盤
Ｂ  複合操作スイッチ
Ｃ  押しボタン式スイッチ
Ｄ  操作スイッチ
１ａ  支持盤
１ｂ  支持プレート
４  支持孔
５  湾曲凹部
６  受座部
６ａ  凹部
７  係止部材
８  台部
１１  操作レバー
１１ａ  ロッド部
１１ｂ  握り玉
１１ｃ  上部ロッド部
１１ｄ  下部ロッド部
１１ｅ  上部雄ネジ部  
１１ｆ  下部雄ネジ部
１１ｇ  雌ネジ穴
１１ｈ  大径部
１１ｉ  変形凸部
１１ｊ  筒体
１１ｋ  変形凹部
１１ｔ  湾曲凸部材
１２  バネ受部材      
１２ａ  係合部
１３  圧縮コイルスプリング
１４  筒部
１４ａ  当接部
１４ｂ  スイッチ押圧部
１６  マイクロスイッチ群
１６ａ  マイクロスイッチ
１６ｂ  押ボタン
１７  ガイド板
１７ａ  係止孔
１７ｂ  係止ピン
１８  段付き取付孔
１８ａ  大径部
１８ｂ  小径部
１８ｃ  ガイド溝
１９ａ  第１嵌合凹部
１９ｂ  第２嵌合凹部
２１  弾性片
２２  ガイド筒部
２２ａ  胴部
２２ｂ  鍔部
２２ｃ  係止部
２２ｅ  変形ガイド孔
２３  摩耗防止部材
２３ａ  挿通孔
２４  回路基板
【図１】
2019096380.tif 000003
【図２】
2019096380.tif 000004
【図３】
2019096380.tif 000005
【図４】
2019096380.tif 000006
【図５】
2019096380.tif 000007
【図６】
2019096380.tif 000008
【図７】
2019096380.tif 000009
【図８】
2019096380.tif 000010
【図９】
2019096380.tif 000011
【図１０】
2019096380.tif 000012
【図１１】
2019096380.tif 000013
【図１２】
2019096380.tif 000014
【図１３】
2019096380.tif 000015
【図１４】
2019096380.tif 000016
【図１５】
2019096380.tif 000017
【図１６】
2019096380.tif 000018
【図１７】
2019096380.tif 000019
【図１８】
2019096380.tif 000020
【図１９】
2019096380.tif 000021